(57)【要約】【課題】磁気共鳴イメージング装置において、被検体が配置されるボア内の温熱環境の改善を図る。【解決手段】情報入力部３１、ＲＦコイルＩＤ取得部３２、温度取得部３３、湿度取得部３４、ボア内壁温度取得部３５は、温熱環境因子をそれぞれ取得する。活動量演算部４１は情報入力部３１からの温熱環境因子を基に被検体Ｐの活動量を演算する。着衣量演算部４２はＲＦコイルＩＤ取得部３２からのＲＦコイルＩＤを基に被検体Ｐの着衣量を演算する。風速設定部４３は気流の風速を設定する。ＰＭＶ演算部４４は、６つの因子に基づいてＰＭＶの値を演算する。ＰＭＶ判定部４５によりＰＭＶの演算値が許容範囲に含まれると判定されるまで、風速の設定とＰＭＶの演算を繰り返す。ファン制御部５０は、ファン１４を制御し、ＰＭＶの演算値が許容範囲に含まれると判定されたときの風速の気流をボア２０ａ内に発生させる。【選択図】図２
2009082331.tif 000002
【特許請求の範囲】
【請求項１】
ガントリのボア内に配置された被検体に対して静磁場及び傾斜磁場を印可し、前記被検体に装着されたＲＦコイルにより高周波磁場を発生し、前記発生された高周波磁場に対応する前記被検体内の原子核からのエコー信号を受信し、前記受信されたエコー信号に基づいて前記被検体の画像を形成する磁気共鳴イメージング装置であって、
前記ボア内の温熱環境に影響する温熱環境因子を取得する取得手段と、
前記取得された温熱環境因子に基づいて前記ボア内の温熱環境を表す温熱環境情報を演算する演算手段と、
前記演算された温熱環境情報に基づいて前記ボア内の温熱環境を変更する変更手段と、
を備えることを特徴とする磁気共鳴イメージング装置。
【請求項２】
ガントリのボア内に配置された被検体に対して静磁場及び傾斜磁場を印可し、前記被検体に装着されたＲＦコイルにより高周波磁場を発生し、前記発生された高周波磁場に対応する前記被検体内の原子核からのエコー信号を受信し、前記受信されたエコー信号に基づいて前記被検体の画像を形成する磁気共鳴イメージング装置であって、
前記ボア内の温熱環境に影響する温熱環境因子を取得する取得手段と、
前記取得された温熱環境因子に基づいて前記ボア内の温熱環境を表す温熱環境情報を演算する演算手段と、
前記演算された温熱環境情報に基づく表示情報を表示する表示手段と、
を備えることを特徴とする磁気共鳴イメージング装置。
【請求項３】
前記表示手段に表示された前記表示情報に基づいて前記ボア内の温熱環境を変更するための操作手段と、
前記操作手段に対する操作に基づいて前記ボア内の温熱環境を変更する変更手段と、
を更に備えることを特徴とする請求項２に記載の磁気共鳴イメージング装置。
【請求項４】
前記変更手段は、前記ボア内に気流を発生させる気流発生手段と、前記気流発生手段により発生される気流の風速を制御することにより前記ボア内の温熱環境を変更する制御手段とを含む、
ことを特徴とする請求項１又は請求項３に記載の磁気共鳴イメージング装置。
【請求項５】
前記演算手段は、前記取得手段により取得された温熱環境因子に基づいて前記温熱環境情報としてのＰＭＶ（ｐｒｅｄｉｃｔｅｄ  ｍｅａｎ  ｖｏｔｅ）の値を演算するとともに、前記演算されるＰＭＶの値が所定範囲に含まれるような気流の風速を演算し、
前記制御手段は、前記演算された風速の気流を発生させるように前記気流発生手段を制御する、
ことを特徴とする請求項４に記載の磁気共鳴イメージング装置。
【請求項６】
前記変更手段は、前記ボア内の温度及び／又は湿度を変更する温度／湿度変更手段と、前記温度／湿度変更手段を制御することにより前記ボア内の温熱環境を変更する制御手段とを含む、
ことを特徴とする請求項１又は請求項３に記載の磁気共鳴イメージング装置。
【請求項７】
前記演算手段は、前記取得手段により取得された温熱環境因子に基づいて前記温熱環境情報としてのＰＭＶの値を演算するとともに、前記演算されるＰＭＶの値が所定範囲に含まれるような温度及び／又は湿度を演算し、
前記制御手段は、前記ボア内を前記演算された温度及び／又は湿度にするように前記温度／湿度変更手段を制御する、
ことを特徴とする請求項６に記載の磁気共鳴イメージング装置。
【請求項８】
前記取得手段は、前記温熱環境因子として、前記被検体の身体情報と、前記被検体の撮影部位に対応するＳＡＲ（ｓｐｅｃｉｆｉｃ  ａｂｓｏｒｐｔｉｏｎ  ｒａｔｅ）の値とを取得し、
前記演算手段は、前記取得された身体情報とＳＡＲの値とに基づいて前記ＲＦコイルにより発生される高周波磁場の強度を演算し、前記演算された高周波磁場の強度に基づいて前記温熱環境情報を演算する、
ことを特徴とする請求項１又は請求項２に記載の磁気共鳴イメージング装置。
【請求項９】
前記取得手段は、前記身体情報として、前記被検体の身長、体重及び代謝量を取得し、
前記演算手段は、前記取得された体重と前記ＳＡＲの値とに基づいて前記高周波磁場の強度を演算し、前記取得された身長及び体重に基づいて前記被検体の体表面積を演算し、前記演算された高周波磁場の強度及び体表面積と前記取得された代謝量とに基づいて前記被検体の活動量を演算し、前記演算された活動量に基づいて前記温熱環境情報としてのＰＭＶの値を演算する、
ことを特徴とする請求項８に記載の磁気共鳴イメージング装置。
【請求項１０】
前記取得手段は、前記被検体に装着された前記ＲＦコイルの種類を示す種類情報を取得し、
前記演算手段は、前記取得された種類情報に基づいて前記被検体の着衣量情報を求めるとともに、前記求められた着衣量情報に基づいて前記温熱環境情報としてのＰＭＶの値を演算する、
ことを特徴とする請求項１又は請求項２に記載の磁気共鳴イメージング装置。
【発明の詳細な説明】
【技術分野】
【０００１】
この発明は、磁気共鳴イメージング装置に関し、特に、被検体が配置されるボア内の温熱環境に係る技術に関するものである。
【背景技術】
【０００２】
磁気共鳴イメージング（ｍａｇｎｅｔｉｃ  ｒｅｓｏｎａｎｃｅ  ｉｍａｇｉｎｇ；ＭＲＩ）装置による検査は、ガントリのガントリ穴（ボア；ｂｏｒｅ）内に被検体を配置して行うために、装置内の熱源や被検体自身からの放射熱によってボア内の温度が上昇し、被検体に不快感を与えるおそれがある。
【０００３】
このような事態に鑑み、ボア内に気流を発生させてボア内の温熱環境を整えるなどの工夫がなされてきた（たとえば特許文献１参照）。なお、温熱環境とは、磁気共鳴イメージング装置の被検体が抱く暖かさ（暑さ）や涼しさ（寒さ）の感覚に影響を与える環境状態を意味することとする。
【０００４】
【特許文献１】特開平８−３２２８１５号公報
【発明の開示】
【発明が解決しようとする課題】
【０００５】
しかしながら、従来の磁気共鳴イメージング装置においては、ボア内に発生させる気流がほぼ一定であったため、検査初期には気流によって被検体が寒さを感じることが多かった。
【０００６】
また、検査中の或るタイミングにおいてボア内の温熱環境が快適であっても、時間が経過するに連れて、ＲＦ（Ｒａｄｉｏ  Ｆｒｅｑｕｅｎｃｙ）コイルからの発熱などにより次第に温度が上昇して温熱環境が悪化し、結果として被検体に不快感を与えてしまうという問題があった。
【０００７】
特に最近では、ＲＦコイルからの高周波磁場の照射量が増大していることから、ボア内の温熱環境の改善の必要性が高まっている。
【０００８】
この発明は、以上のような問題点を解決するためになされたものであって、被検体が配置されるボア内の温熱環境の改善を図ることが可能な磁気共鳴イメージング装置を提供することを目的とする。
【課題を解決するための手段】
【０００９】
上記目的を達成するために、請求項１に記載の発明は、ガントリのボア内に配置された被検体に対して静磁場及び傾斜磁場を印可し、前記被検体に装着されたＲＦコイルにより高周波磁場を発生し、前記発生された高周波磁場に対応する前記被検体内の原子核からのエコー信号を受信し、前記受信されたエコー信号に基づいて前記被検体の画像を形成する磁気共鳴イメージング装置であって、前記ボア内の温熱環境に影響する温熱環境因子を取得する取得手段と、前記取得された温熱環境因子に基づいて前記ボア内の温熱環境を表す温熱環境情報を演算する演算手段と、前記演算された温熱環境情報に基づいて前記ボア内の温熱環境を変更する変更手段と、を備えることを特徴とする。
【００１０】
また、請求項２に記載の発明は、ガントリのボア内に配置された被検体に対して静磁場及び傾斜磁場を印可し、前記被検体に装着されたＲＦコイルにより高周波磁場を発生し、前記発生された高周波磁場に対応する前記被検体内の原子核からのエコー信号を受信し、前記受信されたエコー信号に基づいて前記被検体の画像を形成する磁気共鳴イメージング装置であって、前記ボア内の温熱環境に影響する温熱環境因子を取得する取得手段と、前記取得された温熱環境因子に基づいて前記ボア内の温熱環境を表す温熱環境情報を演算する演算手段と、前記演算された温熱環境情報に基づく表示情報を表示する表示手段と、を備えることを特徴とする。
【発明の効果】
【００１１】
この発明に係る磁気共鳴イメージング装置は、被検体が配置されるガントリのボア内の温熱環境に影響する温熱環境因子を取得し、この温熱環境因子に基づいてボア内の温熱環境を表す温熱環境情報を演算し、この温熱環境情報に基づいてボア内の温熱環境を変更するように構成されているので、ボア内の温熱環境を自動的に改善することが可能である。
【００１２】
また、この発明に係る磁気共鳴イメージング装置は、被検体が配置されるガントリのボア内の温熱環境に影響する温熱環境因子を取得し、この温熱環境因子に基づいてボア内の温熱環境を表す温熱環境情報を演算し、この温熱環境情報に基づく表示情報を表示するように構成されているので、検者は、ボア内の温熱環境を把握することができ、ボア内の温熱環境を改善するための様々な対策を図ることが可能である。
【発明を実施するための最良の形態】
【００１３】
この発明に係る磁気共鳴イメージング装置の好適な実施形態の一例について、図面を参照しながら詳細に説明する。
【００１４】
〈第１の実施形態〉
［全体構成］
図１は、この発明の第１の実施形態に係る磁気共鳴イメージング装置の全体構成の一例を表している。同図に示す磁気共鳴イメージング装置のガントリ２０には、静磁場磁石１、傾斜磁場コイル２、及びＲＦコイル３が設けられている。
【００１５】
ガントリ２０には、検査対象となる被検体Ｐが配置されるボア２０ａが形成されている。被検体Ｐは、寝台１３の天板上に載置されてボア２０ａ内に挿入される。このとき、天板は、寝台１３の駆動機構（図示せず）によって移動される。
【００１６】
この発明は、ボア２０ａ内の温熱環境の改善を図ることにより、被検体Ｐがより快適に検査を受けられるようにするものである。ガントリ２０には、ボア２０ａ内に気流を発生させるためのファン１４が設けられている。ファン１４の動作は、ホストコンピュータ１１によって制御される。
【００１７】
静磁場磁石１は、ボア２０ａ内に静磁場を発生する装置であり、たとえば超電導コイルや常伝導コイルや永久磁石等を用いて構成される。静磁場磁石１は、静磁場制御装置４によって駆動される。
【００１８】
傾斜磁場コイル２は、Ｘ軸方向の傾斜磁場、Ｙ軸方向の傾斜磁場、Ｚ軸方向の傾斜磁場をボア２０ａ内に発生するコイルである。傾斜磁場コイル２は、それぞれ、Ｘ軸傾斜磁場アンプ７、Ｙ軸傾斜磁場アンプ８、Ｚ軸傾斜磁場アンプ９によって駆動される。
【００１９】
ＲＦコイル３は、高周波（ＲＦ）パルスを発生する。この高周波パルスは、ボア２０ａ内の被検体Ｐの体内の原子核の磁気共鳴現象を引き起こす。ＲＦコイル３は、この磁気共鳴現象により発生されたエコー信号を検出する。なお、ＲＦパルスの送信とエコー信号の受信は別々の送信コイル、受信コイルによって行ってもよい。ＲＦコイル３は、磁気共鳴の励起時には送信器５によって駆動される。また、ＲＦコイル３は、被検体Ｐからのエコー信号を検出するときには、その検出結果を受信器６に送信する。なお、図１に示すＲＦコイル３は、被検体Ｐの頭部を撮影するためのＲＦコイルであるが、たとえば胸部撮影用、腹部撮影用、全身撮影用など、撮影部位に応じたＲＦコイルが選択的に使用される。
【００２０】
Ｘ軸傾斜磁場アンプ７、Ｙ軸傾斜磁場アンプ８、Ｚ軸傾斜磁場アンプ９、送信器５は、シーケンスコントローラ１０により所定のシーケンスに従って駆動され、それぞれ、Ｘ軸傾斜磁場、Ｙ軸傾斜磁場、Ｚ軸傾斜磁場、ＲＦパルスを所定のパルスシーケンスで発生する。このとき、Ｘ軸傾斜磁場、Ｙ軸傾斜磁場、Ｚ軸傾斜磁場は、たとえば、読出し用傾斜磁場、位相エンコード用傾斜磁場、スライス用傾斜磁場としてそれぞれ使用される。
【００２１】
ホストコンピュータ１１は、シーケンスコントローラ１０を制御するとともに、受信器６により受信されたエコー信号を取り込んで所定の信号処理を施すことにより、被検体Ｐの断層画像を生成して表示部１２に表示させる。また、ホストコンピュータ１１には、オペレータが各種の操作や情報入力を行うためのコンソールが設けられている。
【００２２】
［制御系の構成］
図２は、この実施形態に係る磁気共鳴イメージング装置の制御系の詳細を表すブロック図である。
【００２３】
この磁気共鳴イメージング装置には、ボア２０ａ内の温熱環境に影響する各種の温熱環境因子を取得する取得手段として、情報入力部３１、ＲＦコイルＩＤ取得部３２、温度取得部３３、湿度取得部３４及びボア内壁温度取得部３５が設けられている。
【００２４】
（情報入力部）
情報入力部３１は、被検体Ｐの身長、体重、代謝量、ＳＡＲ（ｓｐｅｃｉｆｉｃ  ａｂｓｏｒｐｔｉｏｎ  ｒａｔｅ；特異吸収率、比吸収率）などの各種の温熱環境因子を演算部４０に入力する。なお、図２に示す構成では、単一の情報入力部３１が設けられているが、２つ以上の情報入力部を設けるようにしてもよい。
【００２５】
被検体Ｐの身長や体重は、たとえば、当該医療機関内の電子カルテデータベースから被検体Ｐの電子カルテを検索し、この電子カルテに記載された値を入力するようになっている。この場合、情報入力部３１は、電子カルテデータベースと通信可能な通信機器（ＬＡＮカード等）やＣＰＵ等のマイクロプロセッサなどを含んで構成される。
【００２６】
また、ホストコンピュータ１１の記憶装置（ハードディスクドライブ等）に電子カルテ情報があらかじめ記憶されている場合、情報入力部３１は、この記憶装置やマイクロプロセッサなどを含んで構成される。
【００２７】
また、オペレータがホストコンピュータ１１のコンソールを操作することにより、被検体Ｐの身長や体重を手入力することもできる。
【００２８】
代謝量は、一定の値（たとえば安静にしている状態の代謝量の値）を入力するようになっている。この場合、情報入力部３１は、代謝量を記憶するホストコンピュータ１１の記憶装置とマイクロプロセッサなどを含んで構成される。なお、被検体Ｐについて過去に計測した代謝量の情報が有る場合には、この情報を入力するようにしてもよい。
【００２９】
ＳＡＲは、単位質量、単位時間当たりに生体組織に吸収されるエネルギーの大きさを表すもので、磁気共鳴イメージング装置の静磁場磁石や傾斜磁場コイルやＲＦコイルに基づいて、更には撮影部位に基づいてあらかじめ決定されている。
【００３０】
ホストコンピュータ１１の記憶装置には、頭部、胸部、腹部、足部などの撮影部位毎のＳＡＲの値を記録したテーブル情報があらかじめ記憶されている。オペレータは、ホストコンピュータ１１のコンソールを用いて被検体Ｐの撮影部位を入力する。ホストコンピュータ１１のマイクロプロセッサは、入力された撮影部位に対応するＳＡＲの値を上記のテーブル情報から選択して演算部４０に入力する。
【００３１】
（ＲＦコイルＩＤ取得部）
ＲＦコイルＩＤ取得部３２は、ＲＦコイル３の種類を示す種類情報（ＲＦコイルＩＤ）を演算部４０に入力する。
【００３２】
ＲＦコイル３には、前述のように頭部撮影用、胸部撮影用、腹部撮影用など、様々な種類がある。各ＲＦコイル３には、その種類を示す文字列等からなるＲＦコイルＩＤがあらかじめ付与されている。
【００３３】
ＲＦコイル３は、送信器５や受信器６とコネクタを介して接続される。この接続部分のＲＦコイル３側には、ＲＦコイル３の種類を示す情報（接続部分の形状や、ＲＦコイルＩＤを記録した記録媒体など）が設けられている。
【００３４】
一方、当該接続部分の送信器５及び／又は受信器６側には、ＲＦコイル３側の情報を読み取る読取手段（接続部分の形状を信号に変換する手段や、上記記憶媒体のリーダ（ｒｅａｄｅｒ）など）が設けられている。送信器５や受信器６は、ＲＦコイル３側から読み取った情報をホストコンピュータ１１に送る。
【００３５】
ホストコンピュータ１１の記憶装置には、ＲＦコイル３側に設けられた情報とＲＦコイルＩＤとを関連付けるテーブル情報があらかじめ記憶されている。ホストコンピュータ１１のマイクロプロセッサは、送信器５や受信器６から入力された情報に対応するＲＦコイルＩＤを上記のテーブル情報から選択して演算部４０に入力する。
【００３６】
このような構成を適用する場合、ＲＦコイルＩＤ取得部３２は、ホストコンピュータ１１のマイクロプロセッサ及び記憶装置と、上記の読取手段とを含んで構成される。
【００３７】
なお、送信器５や受信器６から入力される情報がＲＦコイルＩＤ自体である場合には、上記のテーブル情報は不要である。この場合、ＲＦコイルＩＤ取得部３２は、ホストコンピュータ１１のマイクロプロセッサと、上記の読取手段とを含んで構成される。
【００３８】
また、オペレータがホストコンピュータ１１のコンソールを用いてＲＦコイルＩＤを手入力するようにしてもよい。また、被検体Ｐの撮影部位を手入力することにより、その撮影部位に応じたＲＦコイルＩＤを演算部４０に入力するようにしてもよい。これらの場合、ＲＦコイルＩＤ取得部３２は、ホストコンピュータ１１のコンソールとマイクロプロセッサを含んで構成される。
【００３９】
また、磁気共鳴イメージング装置による撮影のオーダ情報に基づいて撮影部位を自動的に特定し、特定された撮影部位に対応するＲＦコイルＩＤを演算部４０に入力するように構成することもできる。この場合、ＲＦコイルＩＤ取得部３２は、ホストコンピュータ１１のマイクロプロセッサを含んで構成される。
【００４０】
（温度取得部）
温度取得部３３は、磁気共鳴イメージング装置が設置されている検査室（磁場遮断や電磁波遮断を施したシールドルーム）内の温度、特に、ボア２０ａ内の温度を取得する。
【００４１】
温度取得部３３は、たとえば、検査室内、特にボア２０ａの内部や近傍に設けられた温度計により構成される。この温度計は、水銀を用いたものや熱電対を利用したものや赤外線を検出するものなど、任意の形態の温度計でよい。温度取得部３３は、温度の検出結果を信号として演算部４０に入力する。
【００４２】
また、温度取得部３３は、検査室のエア・コンディショナーであってもよい。この場合、エア・コンディショナーの設定温度を演算部４０に入力する。
【００４３】
（湿度取得部）
湿度取得部３４は、磁気共鳴イメージング装置が設置されている検査室内の湿度、特に、ボア２０ａ内の湿度を取得する。
【００４４】
湿度取得部３４は、たとえば、検査室内、特にボア２０ａの内部や近傍に設けられた湿度計により構成される。湿度取得部３４は、湿度の検出結果を信号として演算部４０に入力する。
【００４５】
また、湿度取得部３４は、検査室のエア・コンディショナー（湿度設定機能を有するもの）であってもよい。この場合、エア・コンディショナーの設定湿度を演算部４０に入力する。
【００４６】
（ボア内壁温度取得部）
ボア内壁温度取得部３５は、ボア２０ａの内壁、つまりボア２０ａ内に配置された被検体Ｐを取り囲む壁の温度を取得する。
【００４７】
ボア内壁温度取得部３５は、たとえば温度取得部３３と同様の温度計により構成されている。ボア内壁温度取得部３５は、ボア２０ａの内壁の温度の検出結果を信号として演算部４０に入力する。
【００４８】
このとき、ボア内壁温度取得部３５は、ボア２０ａの内壁の複数の箇所における温度を取得し、それらの平均値や中央値を求めて演算部４０に入力するようにしてもよい。また、ガントリ２０の温度（静磁場磁石１や傾斜磁場コイル２の温度など）や、検査室内・ボア２０ａ内の温度を検出し、この検出結果とガントリ２０の熱伝導率等に基づいて、ボア２０ａの内壁の温度を演算するように構成することも可能である。
【００４９】
ボア内壁温度取得部３５により取得されるボア２０ａの内壁の温度は、この内壁からの放射温度に相当するものであり、後述のＰＭＶの演算に供される平均放射温度として用いられる。
【００５０】
〔演算部〕
演算部４０には、情報入力部３１、ＲＦコイルＩＤ取得部３２、温度取得部３３、湿度取得部３４及びボア内壁温度取得部３５から前述のような温熱環境因子が入力される。演算部４０は、これらの温熱環境因子に基づいて、ボア２０ａ内の温熱環境を表す温熱環境情報を演算する。
【００５１】
この実施形態では、温熱環境情報として、ＰＭＶ（ｐｒｅｄｉｃｔｅｄ  ｍｅａｎ  ｖｏｔｅ）を用いることにする。ＰＭＶは、人体と環境との熱平衡式を基礎とし、人体側の因子である活動量（作業量）、着衣量と、環境側の因子である温度、相対湿度、平均放射温度、風速とに基づいて求められる（たとえば特開２０００−２９１９９０参照）。
【００５２】
演算部４０は、たとえば、ホストコンピュータ１１のマイクロプロセッサや記憶装置を含んで構成される。また、演算部４０は、この発明の「演算手段」の一例として機能するものである。
【００５３】
演算部４０は、活動量演算部４１、着衣量演算部４２、風速設定部４３、ＰＭＶ演算部４４及びＰＭＶ判定部４５を含んで構成されている。
【００５４】
（活動量演算部）
活動量演算部４１は、情報入力部３１から入力される情報に基づいて、ＰＭＶの算出に供される活動量を演算する。活動量演算部４１は、たとえばホストコンピュータ１１のマイクロプロセッサと記憶装置とを含んで構成される。なお、記憶装置には、以下の演算で用いられる各種の設定値や演算式が記憶されている。
【００５５】
活動量演算部４１についてより具体的に説明する。情報入力部３１は、前述のように、被検体Ｐの身長、体重、代謝量、ＳＡＲを活動量演算部４１に入力する。活動量演算部４１は、まず、情報入力部３１から入力された身長と体重とに基づいて、被検体Ｐの体表面積を演算する。この処理は、たとえば、人体の一般的な密度（単位体積当たりの質量）に基づいて被検体Ｐの体積を演算するとともに、この体積に基づいて体表面積を演算することにより行う。
【００５６】
また、身長及び体重と体表面積との関係を示す臨床データをあらかじめ作成し記憶しておき、この臨床データに基づいて体表面積を求めるようにしてもよい。また、当該被検体Ｐについて過去に体表面積を検査してある場合には、この検査結果を用いるようにしてもよい。その際、過去と現在とにおける身長や体重の変化を考慮して体表面積の値を修正するようにしてもよい。
【００５７】
また、被検体Ｐの全身の体表面積を求めるようにしてもよいし、ボア２０ａ内に配置される部位のみの体表面積を求めるようにしてもよい。後者を実施する場合には、たとえば、寝台１３によって被検体Ｐがボア２０ａ内に搬送されるときの移動距離に基づいて、被検体Ｐの身長に対してどの程度の部分がボア２０ａ内に配置されるかを求めることができる。活動量演算部４１は、ボア２０ａ内に配置される被検体Ｐの部分（全身に対する割合等）を考慮して、ボア２０ａ内に配置される被検体Ｐの部位の体表面積を演算することができる。
【００５８】
なお、被検体Ｐの身長や体重は、この発明の「身体情報」の一例に相当する。過去の検査により取得された被検体Ｐの体表面積を用いる場合、この体表面積の検査結果が「身体情報」に相当する。また、情報入力部３１から入力される代謝量も「身体情報」の一例に相当する。
【００５９】
次に、活動量演算部４１は、情報入力部３１から入力された体重とＳＡＲとに基づいて、ＲＦコイル３により発生される高周波磁場の強度を演算する。この処理は、たとえば、体重（ｋｇ）とＳＡＲ（Ｗ／ｋｇ）とを乗算することにより行う。
【００６０】
続いて、活動量演算部４１は、ＲＦコイル３からの高周波磁場の強度の演算結果に基づいて、被検体Ｐに吸収される高周波磁場の強度（吸収量）を演算する。この処理は、たとえば、高周波磁場の強度の演算結果から所定値を減算することにより行う。この所定値は、磁気共鳴イメージング装置による高周波磁場の吸収量であり、あらかじめ設定されている。
【００６１】
更に、活動量演算部４１は、被検体Ｐの体表面積の演算結果と、被検体Ｐによる高周波磁場の吸収量の演算結果とに基づいて、ＲＦコイル３からの高周波磁場に起因する代謝量を求める。この処理は、たとえば、高周波磁場の吸収量（Ｗ）を体表面積（ｍ＾２）で除算し、この商（Ｗ／ｍ＾２）を５８．２で除算することにより求める。なお、代謝量の単位ｍｅｔは、１ｍｅｔ＝５８．２（Ｗ／ｍ＾２）により定義される。ここで、１ｍｅｔは、椅座安静状態における代謝量を表す。
【００６２】
最後に、活動量演算部４１は、情報入力部３１から入力された代謝量と、高周波磁場に起因する代謝量の演算結果とに基づいて、ＲＦコイル３からの高周波磁場を受けている状態における被検体Ｐの活動量を演算する。この処理は、たとえば、入力された代謝量（ｍｅｔ）と代謝量の演算結果（ｍｅｔ）とを加算することにより行う。活動量演算部４１は、求めた活動量の値をＰＭＶ演算部４４に入力する。
【００６３】
（着衣量演算部）
着衣量演算部４２は、ＲＦコイルＩＤ取得部３２から入力されるＲＦコイルＩＤに基づいて、被検体Ｐの着衣量を演算する。着衣量は、着衣の断熱性の指標であり、単位はｃｌｏである。１ｃｌｏは、気温２１．２℃、相対湿度５０％、気流（風速）０．１ｍ／ｓｅｃの状況下において椅座安静にしている状態に相当するものである。また、着衣量演算部４２により求められる着衣量は、この発明の「着衣量情報」の一例に相当する。
【００６４】
着衣量演算部４２は、たとえばホストコンピュータ１１のマイクロプロセッサと記憶装置とを含んで構成される。なお、記憶装置には、以下の演算で用いられる設定値やテーブル情報や演算式が記憶されている。
【００６５】
被検体Ｐは、所定の検査服を着て、更にＲＦコイル３を装着した状態で検査に供される。着衣量演算部４２は、ＲＦコイル３の種類に対応する着衣量の値を記録したテーブル情報をあらかじめ記憶している。このテーブル情報は、たとえば、各種のＲＦコイル３について着衣量を実測することによって作成される。また、着衣量演算部４２は、検査服についての着衣量の値をあらかじめ記憶している。
【００６６】
着衣量演算部４２は、たとえば、ＲＦコイルＩＤ取得部３２から入力されるＲＦコイルＩＤに対応する着衣量の値を上記のテーブル情報から選択し、この選択された着衣量の値と検査服についての着衣量の値とを加算することにより、被検体Ｐの着衣量（ｃｌｏ）を求める。着衣量演算部４２は、求めた着衣量をＰＭＶ演算部４４に入力する。
【００６７】
（風速設定部）
ＰＭＶを算出するには、前述のように、活動量、着衣量、温度、相対湿度、平均放射温度、風速の６つの温熱環境因子が必要である。活動量、着衣量、温度、相対湿度、平均放射温度の５つの温熱環境因子は、情報入力部３１、ＲＦコイルＩＤ取得部３２、温度取得部３３、湿度取得部３４及びボア内壁温度取得部３５からの入力内容から取得することができる。
【００６８】
一方、この磁気共鳴イメージング装置は、ボア２０ａ内の気流の風速を調整することでボア２０ａ内の温熱環境の向上を図るものであるため、気流の風速の好適な値を求める必要がある。風速設定部４３は、ＰＭＶの算出に用いられる気流の風速の値を設定してＰＭＶ演算部４４に入力するように作用する。
【００６９】
また、風速設定部４３は、後述のように、ＰＭＶ判定部４５による判定結果のフィードバックを受けて、風速の設定値を変更してＰＭＶ演算部４４に入力するように作用する。また、ファン１４が作動している場合においては、風速設定部４３は、ファン１４によってボア２０ａ内に発生されている気流の風速の値をＰＭＶ演算部４４に入力するように作用する。
【００７０】
（ＰＭＶ演算部）
ＰＭＶ演算部４４は、活動量演算部４１から入力される活動量、着衣量演算部４２から入力される着衣量、温度取得部３３から入力される温度、湿度取得部３４から入力される相対湿度、ボア内壁温度取得部３５から入力される平均放射温度、及び、風速設定部４３から入力される気流の風速に基づいてＰＭＶの値を演算する。
【００７１】
ＰＭＶ演算部４４によるＰＭＶの値の演算は、標準的な方法で行うことができる（ＩＳＯ７７３０  Ｔｈｅｒｍａｌ  ｃｏｎｆｏｒｔ  ｂｙ  Ｐ．Ｏ．Ｆａｎｇｅｒ  ＭｃＧｒａｗ−Ｈｉｌｌ  Ｂｏｏｋ  Ｃｏｍｐａｎｙ  １９７２）；たとえば、特開２０００−２９１９９０号公報を参照。）。ＰＭＶ演算部４４は、演算されたＰＭＶの値をＰＭＶ判定部４５に入力する。
【００７２】
（ＰＭＶ判定部）
ＰＭＶ判定部４５は、ＰＭＶ演算部４４により演算されたＰＭＶの値が所定範囲に含まれるか否かを判定する。
【００７３】
ＰＭＶは、−０．５〜０．５の範囲が快適な温熱環境であるとされている。したがって、この実施形態では、上記所定範囲として−０．５〜０．５の範囲を設定することにする。この範囲を「許容範囲」と呼ぶことがある。なお、−０．５〜０．５の範囲以外の許容範囲を適宜に設定することも可能である。
【００７４】
ＰＭＶ判定部４５は、ＰＭＶ演算部４４により演算されたＰＭＶの値が許容範囲に含まれるか否かを判定する。ＰＭＶの値が許容範囲に含まれていない場合、ＰＭＶ判定部４５は、演算されたＰＭＶの値が許容範囲よりも大きいか小さいかを判定するとともに、演算されたＰＭＶの値と許容範囲との差を演算する。
【００７５】
たとえば、演算されたＰＭＶの値が０．７である場合、ＰＭＶ判定部４５は、（１）この値０．７は−０．５〜０．５の許容範囲に含まれないと判定し、（２）この値０．７は当該許容範囲よりも大きいと判定し、（３）この値０．７と当該許容範囲との差（の絶対値）｜０．７−０．５＝０．２｜を算出する。
【００７６】
なお、（３）の演算は、許容範囲内の任意の値（目標値）との差を求めるようにしてもよい。たとえば、目標値が０である場合、（３）の演算は、｜０．７−０｜＝０．７となる。
【００７７】
また、目標値に対する演算されたＰＭＶの値の変位量を求めるなどして、（２）と（３）とを一度に行うことも可能である。たとえば、演算されたＰＭＶの値が０．７である場合、目標値（０とする）に対する変位量は０．７−０＝＋０．７となる。また、演算されたＰＭＶの値が−０．７である場合、目標値（０とする）に対する変位量は−０．７−０＝−０．７となる。変位量の演算結果の「±」が、目標値（許容範囲）との大小関係を表すことになる。
【００７８】
ＰＭＶ判定部４５は、演算されたＰＭＶの値が許容範囲に含まれていると判定した場合、このときの風速の設定値を風速設定部４３から取得してファン制御部５０に入力する。
【００７９】
一方、演算されたＰＭＶの値が許容範囲に含まれていないと判定した場合、ＰＭＶ演算部４４は、演算されたＰＭＶの値と許容範囲との大小関係の判定結果（上記具体例の（２）の判定結果）と、演算されたＰＭＶの値と許容範囲との差の演算結果（上記具体例の（３）の演算結果）とを風速設定部４３に入力する。
【００８０】
このとき、必要に応じて、演算されたＰＭＶの値を風速設定部４３に入力するようにしてもよい。また、必要に応じて、ＰＭＶの演算に供される他のファクタ（活動量、着衣量、温度、相対湿度、平均放射温度）を風速設定部４３に入力するようにしてもよい。
【００８１】
風速設定部４３は、ＰＭＶ判定部４５から入力された判定結果と演算結果に基づいて、気流の風速の設定値を変更してＰＭＶ演算部４４に入力する。風速設定部４３、ＰＭＶ演算部４４及びＰＭＶ判定部４５は、ＰＭＶ判定部４５により「演算されたＰＭＶの値が許容範囲に含まれている」と判定されるまで、このようなフィードバック処理を反復する。
【００８２】
（ファン制御部）
ファン制御部５０は、ＰＭＶ判定部４５から入力される気流の風速の値に基づいてファン１４を制御することにより、この風速の気流をボア２０ａ内に発生させる。
【００８３】
ファン制御部５０の具体例を説明する。ファン制御部５０は、たとえば、モータ等の駆動装置により回転駆動されるファン１４の羽根（図示せず）の回転速度と、発生される風速との関係を示す情報をあらかじめ記憶している。そして、ファン制御部５０は、この情報に基づいて、ＰＭＶ判定部４５から入力された風速の値に対応するファン１４の羽根の回転速度を求めるとともに、この回転速度でファン１４の羽根を回転させるように駆動装置を制御する。
【００８４】
ここで、羽根や駆動装置を具備するファン１４は、この発明の「気流発生手段」の一例として機能するものである。また、ファン制御部５０は、この発明の「制御手段」の一例として機能するものである。また、ファン１４とファン制御部５０は、この発明の「変更手段」の一例として機能するものである。
【００８５】
［使用形態］
以上のような構成を有する磁気共鳴イメージング装置の使用形態を説明する。図３に示すフローチャートは、この磁気共鳴イメージング装置の使用形態の一例を表している。
【００８６】
まず、被検体Ｐを寝台１３に載置し、撮影部位を含む被検体Ｐの少なくとも一部をボア２０ａ内に配置させて撮影を開始する（Ｓ１）。
【００８７】
情報入力部３１、ＲＦコイルＩＤ取得部３２、温度取得部３３、湿度取得部３４及びボア内壁温度取得部３５は、それぞれ、前述の温熱環境因子を取得して演算部４０に入力する（Ｓ２）。
【００８８】
活動量演算部４１は、情報入力部３１から入力される温熱環境因子に基づいて被検体Ｐの活動量を演算し、ＰＭＶ演算部４４に入力する（Ｓ３）。
【００８９】
また、着衣量演算部４２は、ＲＦコイルＩＤ取得部３２から入力されるＲＦコイルＩＤに基づいて被検体Ｐの着衣量を演算し、ＰＭＶ演算部４４に入力する（Ｓ４）。なお、活動量の演算処理及び着衣量の演算処理を実行する順序は任意である（同時に実行してもよい。）。
【００９０】
風速設定部４３は、気流の風速の値をＰＭＶ演算部４４に入力する（Ｓ５）。ＰＭＶ演算部４４は、活動量演算部４１から入力された活動量、着衣量演算部４２から入力された着衣量、温度取得部３３から入力された温度、湿度取得部３４から入力された相対湿度、ボア内壁温度取得部３５から入力された温度（平均放射温度）、及び、風速設定部４３から入力された風速に基づいてＰＭＶの値を演算し、ＰＭＶ判定部４５に入力する（Ｓ６）。
【００９１】
ＰＭＶ判定部４５は、演算されたＰＭＶの値が許容範囲（ここでは、−０．５〜０．５の範囲）に含まれるか否か判定する（Ｓ７）。
【００９２】
演算されたＰＭＶの値が許容範囲に含まれていると判定された場合（Ｓ７；Ｙ）、ＰＭＶ判定部４５は、このときの風速の値を風速設定部４３から取得してファン制御部５０に入力する（Ｓ８）。
【００９３】
ファン制御部５０は、ＰＭＶ判定部４５から入力された風速の値に基づいてファン１４を制御することにより、この風速の気流をボア２０ａ内に発生させる（Ｓ９）。この場合の処理は、これで終了となる。
【００９４】
他方、ステップＳ７において、演算されたＰＭＶの値（演算値）が許容範囲に含まれていないと判定された場合（Ｓ７；Ｎ）、ＰＭＶ判定部４５は、ＰＭＶの演算値と許容範囲との大小関係及び差を求めて、ＰＭＶの値や他のファクタとともに風速設定部４３に入力する（Ｓ１０）。
【００９５】
風速設定部４３は、ＰＭＶ判定部４５からの入力内容に基づいて新たな風速の値を設定してＰＭＶ演算部４４に入力する（Ｓ１１）。このとき、ＰＭＶ判定部４５は、たとえば次のような処理を行って新たな風速の値を設定する。
【００９６】
まず、風速設定部４３は、ＰＭＶの値の変化に対する風速の値の影響度合い、すなわち、任意のＰＭＶの値において風速の値を変化させたときにＰＭＶの値がどれだけ変化するかを示す情報（テーブル情報やグラフ情報）をあらかじめ記憶している。この情報（風速−ＰＭＶ関連情報と呼ぶことにする。）は、ＰＭＶの演算式を用いて、風速の値を変化させたときのＰＭＶの値の変化量をシミュレーションすることにより作成することができる。
【００９７】
風速設定部４３は、風速−ＰＭＶ関連情報を参照し、ＰＭＶ判定部４５からの入力情報に対応する新たな風速の値を求めてＰＭＶ判定部４５に入力する。このとき、風速設定部４３は、新たな風速の値に基づく新たなＰＭＶの値が許容範囲内の任意の値（たとえば−０．５、−０．２５、０、０．２５、０．５など）になるように新たな風速の値を設定する。ここで、ＰＭＶの演算値が許容範囲よりも大きい（小さい）場合、つまりボア２０ａ内が快適な温熱状態よりも暖かい（涼しい）場合には、前回の設定値よりも大きな（小さな）風速の値を設定することができる。
【００９８】
ＰＭＶ演算部４４は、風速設定部４３から入力された新たな風速の値を用いて、ＰＭＶの値を演算する（Ｓ６）。このとき、温度取得部３３、湿度取得部３４、ボア内壁温度取得部３５によって新たな温熱環境因子を取得し、この新たな温熱環境因子を用いてＰＭＶの値を演算してもよい。
【００９９】
ステップＳ７において「ＰＭＶの値が許容範囲に含まれている」と判定される（Ｓ７；Ｙ）まで、ステップＳ６〜Ｓ１１を繰り返す。このように判定された後の動作は、前述のステップＳ８、Ｓ９と同様である。以上で、図３のフローチャートに基づく磁気共鳴イメージング装置の使用形態の説明を終了する。
【０１００】
以上で説明した使用形態は、撮影開始時におけるボア２０ａ内の温熱環境を調整するものである。一般に、磁気共鳴イメージング装置による撮影には、撮影部位にもよるが、数十分程度の時間が必要とされる。この実施形態に係る磁気共鳴イメージング装置は、図３に示したものと同様の動作をたとえば定期的に行うことにより、撮影中におけるボア２０ａ内の温熱環境を調整することができる。
【０１０１】
この撮影中の動作について説明する。まず、温度取得部３３、湿度取得部３４及びボア内壁温度取得部３５が、それぞれの温熱環境因子を取得してＰＭＶ演算部４４に入力する（Ｓ２）。また、風速設定部４３が、ファン１４によって現に発生されている気流の風速をＰＭＶ演算部４４に入力する。ＰＭＶ演算部４４は、これらの情報に基づいてＰＭＶの値を演算する（Ｓ６）。これ以降の処理は、上記の使用形態と同様である。
【０１０２】
［作用・効果］
以上のような磁気共鳴イメージング装置の作用及び効果を説明する。
【０１０３】
この実施形態に係る磁気共鳴イメージング装置は、ボア２０ａ内の温熱環境に影響する温熱環境因子を取得し、この温熱環境因子に基づいてボア２０ａ内の温熱環境を表す温熱環境情報（ＰＭＶ）を演算するとともに、この温熱環境情報に基づいてボア２０ａ内に好適な風速の気流を発生させることによりボア２０ａ内の温熱環境を変更するように作用するものである。したがって、この磁気共鳴イメージング装置によれば、被検体Ｐが配置されるボア２０ａ内の温熱環境の改善を図ることが可能である。
【０１０４】
特に、この磁気共鳴イメージング装置は、ＰＭＶの値が所定の許容範囲に含まれるような気流の風速を演算し、この風速の気流を発生させるように作用する。この許容範囲は、前述のように、快適な温熱環境に対応する範囲に設定される。したがって、この磁気共鳴イメージング装置によれば、ボア２０ａ内の温熱環境の改善を図ることが可能である。
【０１０５】
また、この磁気共鳴イメージング装置によれば、ＲＦコイル３からの高周波磁場の強度に基づいて被検体Ｐの活動量を演算し、この演算結果に基づくＰＭＶの値に基づいてボア２０ａ内の温熱環境を変更することができるので、ＲＦコイル３の種類に応じてボア２０ａ内の温熱環境を改善できるという利点もある。
【０１０６】
また、この磁気共鳴イメージング装置によれば、被検体Ｐの身長や体重を含む身体情報に基づいて被検体Ｐの活動量を演算し、この演算結果に基づくＰＭＶの値に基づいてボア２０ａ内の温熱環境を変更することができるので、被検体Ｐの体格などに応じてボア２０ａ内の温熱環境を改善できるという利点もある。
【０１０７】
また、この実施形態に係る磁気共鳴イメージング装置によれば、ボア２０ａ内の温熱環境を自動的に調整することができるので、検者が撮影作業に専念することができるなどの利点もある。
【０１０８】
［変形例］
この実施形態に係る磁気共鳴イメージング装置の変形例を説明する。
【０１０９】
図４は、この実施形態に係るイメージング装置の変形例の制御系の構成の一例を表している。同図に示す磁気共鳴イメージング装置の演算部４０には、上記実施形態の風速設定部４３、ＰＭＶ演算部４４及びＰＭＶ判定部４５の代わりに、風速演算部４６が設けられている。
【０１１０】
風速演算部４６には、情報入力部３１により取得された温熱環境因子に基づく被検体Ｐの活動量の演算結果と、ＲＦコイルＩＤ取得部３２により取得されたＲＦコイルＩＤに基づく着衣量の演算結果と、温度取得部３３、湿度取得部３４及びボア内壁温度取得部３５によりそれぞれ取得された温熱環境因子とが入力される。
【０１１１】
風速演算部４６は、これらの情報に基づいて、ＰＭＶの値が許容範囲に含まれるような気流の風速の値を演算する。この演算処理について説明する。ＰＭＶの演算式をｆ（ｘ１、ｘ２、ｘ３、ｘ４、ｘ５、ｘ６）とする。ここで、ｘ１＝活動量、ｘ２＝着衣量、ｘ３＝温度、ｘ４＝相対湿度、ｘ５＝平均放射温度、ｘ６＝風速とする。ＰＭＶの目標値をαとすると、風速演算部４６は、各ｘ１、ｘ２、ｘ３、ｘ４、ｘ５が既知である状態において、ｆ（ｘ１、ｘ２、ｘ３、ｘ４、ｘ５、ｘ６）＝ｆ（ｘ６）＝αとなるようなｘ６を求める。このとき、近似式やシミュレーションなどの演算手法を用いてもよい。
【０１１２】
風速演算部４６は、求めた風速の値をファン制御部５０に入力する。ファン制御部５０は、風速演算部４６から入力された風速の値に基づいてファン１４を制御することにより、求められた風速の気流をボア２０ａ内に発生させる。
【０１１３】
このような変形例によれば、温熱環境情報（ＰＭＶ）に基づく好適な風速の気流をボア２０ａ内に発生させることによりボア２０ａ内の温熱環境を変更できるので、被検体Ｐが配置されるボア２０ａ内の温熱環境の改善を図ることが可能である。
【０１１４】
上記の実施形態では、ＰＭＶを演算するために用いられる６つの温熱環境因子のうちの風速を変更することにより温熱環境の改善を図っているが、たとえば、検査室（特にボア２０ａ内）の温度や湿度（相対湿度）など、風速以外の温熱環境因子を変更して温熱環境の改善を図るように構成することも可能である。
【０１１５】
温度を変更する場合、検査室内（特にボア２０ａ内）の温度を変更するためのエア・コンディショナーやヒーターやクーラーなどの温度変更装置を磁気共鳴イメージング装置に設ける。更に、温熱環境因子を取得する取得手段として、情報入力部３１、ＲＦコイルＩＤ取得部３２、湿度取得部３４及びボア内壁温度取得部３５を設ける。また、ボア２０ａ内の気流の風速を取得する手段として任意の風速検出装置を求める。なお、上記実施形態で説明したように、ファン１４の回転速度から風速を求めるようにしてもよい。ホストコンピュータ１１は、情報入力部３１により取得された温熱環境因子に基づいて、被検体Ｐの活動量を演算する（活動量演算部４１）とともに、ＲＦコイルＩＤ取得部３２により取得されたＲＦコイルＩＤに基づいて、被検体Ｐの着衣量を演算する（着衣量演算部４２）。そして、ホストコンピュータ１１は、上記実施形態や上記変形例と同様にして、ＰＭＶの値が許容範囲に含まれるような温度を求め（演算部４０）、温度変更装置を制御して検査室内（特にボア２０ａ内）を当該温度にする。
【０１１６】
また、湿度を変更する場合、検査室内（特にボア２０ａ内）の湿度を変更するためのエア・コンディショナーや除湿器や加湿器などの湿度変更装置を磁気共鳴イメージング装置に設ける。更に、温熱環境因子を取得する取得手段として、情報入力部３１、ＲＦコイルＩＤ取得部３２、温度取得部３３及びボア内壁温度取得部３５を設ける。ホストコンピュータ１１は、情報入力部３１により取得された温熱環境因子に基づいて、被検体Ｐの活動量を演算するとともに、ＲＦコイルＩＤ取得部３２により取得されたＲＦコイルＩＤに基づいて、被検体Ｐの着衣量を演算する。そして、ホストコンピュータ１１は、上記実施形態や上記変形例と同様にして、ＰＭＶの値が許容範囲に含まれるような湿度（相対湿度）を求め、湿度変更装置を制御して検査室内（特にボア２０ａ内）を当該湿度にする。
【０１１７】
なお、温度と湿度の双方を変更する場合、上記の温度変更装置と湿度変更装置の双方を磁気共鳴イメージング装置に設ける。また、取得手段としては、情報入力部３１、ＲＦコイルＩＤ取得部３２及びボア内壁温度取得部３５を設ける。ホストコンピュータ１１は、たとえば、温度と湿度とを適宜に設定してＰＭＶの値をシミュレーションするなどして、温度と湿度の双方の値を求める。そして、ホストコンピュータ１１は、温度変更装置と湿度変更装置とを制御することにより、検査室内（特にボア２０ａ内）を当該温度及び当該湿度にする。
【０１１８】
このような変形例によれば、ボア２０ａ内の温度や湿度を、温熱環境情報（ＰＭＶ）に基づく好適な温度や湿度に変更することができるので、被検体Ｐが配置されるボア２０ａ内の温熱環境の改善を図ることが可能である。なお、上記の温度変更装置及び／又は湿度変更装置は、この発明の「温度／湿度変更手段」の一例として機能するものである。また、ホストコンピュータ１１は、この発明の「制御手段」の一例として機能するものである。
【０１１９】
上記の実施形態においては各被検者に対して一律に適用しているＰＭＶの許容範囲（目標値）を、被検者毎に変更するようにしてもよい。たとえば、女性には冷え性の人が多いことを考慮して女性に対する許容範囲や目標値を男性に対するものよりも高く設定するなど、性別によって許容範囲や目標値を変更することができる。
【０１２０】
また、被検者が暑がりである場合には許容範囲や目標値を低く設定し、寒がりである場合には高く設定するなど、被検者の体質などによって許容範囲や目標値を変更することも可能である。
【０１２１】
上記の実施形態では、ファン１４によって気流を発生させるようになっているが、この発明の「気流発生手段」は、ボア２０ａ内に気流を発生させることが可能な機構を備えていれば、その構成は任意である。
【０１２２】
上記の実施形態では、温熱環境情報としてＰＭＶを用いているが、たとえばＥＴやＳＥＴなどの他の指標を用いてもよい。ここで、ＥＴ（ｎｅｗ  ｅｆｆｅｃｔｉｖｅ  ｔｅｍｐｅｒａｔｕｒｅ）は、新有効温度などと呼ばれる屋内体感指標であり、ＳＥＴ（ｓｔａｎｄａｒｄ  ｎｅｗ  ｅｆｆｅｃｔｉｖｅ  ｔｅｍｐｅｒａｔｕｒｅ）は、標準新有効温度などと呼ばれる屋内体感指標である。
【０１２３】
なお、以上で説明した変形例は、以下に説明する第２の実施形態の磁気共鳴イメージング装置にも適宜に応用することが可能である。
【０１２４】
〈第２の実施形態〉
第１の実施形態では、ボア内の温熱環境を自動的に調整することが可能な磁気共鳴イメージング装置について説明した。第２の実施形態では、ボア内の温熱環境の調整を検者が手作業で行うための構成を説明する。
【０１２５】
なお、第１、第２の実施形態の構成は、互いに排他的なものではなく、双方を具備した磁気共鳴イメージング装置を構成することも可能である。その場合、第１の実施形態に係る自動調整か、第２の実施形態に係る手動調整を選択的に実行できるように構成することが望ましい。
【０１２６】
［構成］
この実施形態に係る磁気共鳴イメージング装置は、第１の実施形態と同様の全体構成を備えている（図１参照）。図５は、この実施形態に係る磁気共鳴イメージング装置の制御系の構成の一例を表している。なお、第１の実施形態と同様の構成部分については同一の符号で示すものとする。
【０１２７】
図５に示す磁気共鳴イメージング装置は、第１の実施形態（図２参照）と同様の情報入力部３１、ＲＦコイルＩＤ取得部３２、温度取得部３３、湿度取得部３４、ボア内壁温度取得部３５、演算部４０及びファン制御部５０を備えている。なお、演算部４０の風速設定部４３は不要である。
【０１２８】
この実施形態のファン制御部５０は、ファン１４の動作のオン／オフを行う。また、ファン１４が発生する気流の風速を変更できる場合、ファン制御部５０は、風速の制御を行う。また、ファン制御部５０は、ファン１４により発生されている気流の風圧の値をＰＭＶ演算部４４に入力する。このとき、ファン制御部５０は、第１の実施形態で説明したように、ファン１４の羽根の回転速度などに基づいて風圧を算出する。
【０１２９】
また、この実施形態に係る磁気共鳴イメージング装置は、図１に示した表示部１２と表示制御部６０とを備えている。
【０１３０】
表示部１２は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイなどの任意の表示装置によって構成されている。表示部１２は、この発明の「表示手段」の一例として機能するものである。
【０１３１】
表示制御部６０は、各種の画面や画像などを表示部１２に表示させるように機能し、たとえばホストコンピュータ１１のマイクロプロセッサを含んで構成される。表示制御部６０は、この発明の「制御手段」の一例として機能するものである。
【０１３２】
［使用形態］
この実施形態に係る磁気共鳴イメージング装置の使用形態を説明する。図６に示すフローチャートは、この磁気共鳴イメージング装置の使用形態の一例を表している。
【０１３３】
まず、被検体Ｐを寝台１３に載置してボア２０ａ内に配置させ、被検体Ｐの撮影を開始する（Ｓ２１）。
【０１３４】
情報入力部３１、ＲＦコイルＩＤ取得部３２、温度取得部３３、湿度取得部３４及びボア内壁温度取得部３５は、第１の実施形態と同様に、それぞれの温熱環境因子を取得して演算部４０に入力する。また、ファン制御部５０は、ファン１４により発生されている気流の風圧（温熱環境因子）を取得して演算部４０に入力する（Ｓ２２）。
【０１３５】
ここで、ファン１４は、磁気共鳴イメージング装置の電源投入や検者による操作に応じて気流を発生させるようになっている。なお、ファン１４が動作していない場合には、ファン制御部５０は、たとえば風圧＝０を演算部４０に入力する。
【０１３６】
活動量演算部４１は、情報入力部３１から入力される温熱環境因子に基づいて被検体Ｐの活動量を演算し、ＰＭＶ演算部４４に入力する（Ｓ２３）。
【０１３７】
また、着衣量演算部４２は、ＲＦコイルＩＤ取得部３２から入力されるＲＦコイルＩＤに基づいて被検体Ｐの着衣量を演算し、ＰＭＶ演算部４４に入力する（Ｓ２４）。
【０１３８】
ＰＭＶ演算部４４は、入力された６つの温熱環境因子に基づいてＰＭＶの値を演算し、ＰＭＶ判定部４５に入力する（Ｓ２５）。
【０１３９】
ＰＭＶ判定部４５は、演算されたＰＭＶの値が許容範囲に含まれるか否か判定し、その判定結果を表示制御部６０に入力する（Ｓ２６）。
【０１４０】
表示制御部６０は、ＰＭＶ判定部４５から入力された判定結果を表すメッセージや画像等の情報（表示情報）を表示部１２に表示させる（Ｓ２７）。
【０１４１】
表示情報としては、たとえば、「ボア内が暑くなっています」や「ボア内の温度が下がっています」などの文字情報が表示される。また、ＰＭＶ演算部４４によるＰＭＶの演算値自体を表示情報として表示させたり、ＰＭＶの値を横軸や縦軸に取り、この軸上に演算値を表示させたりすることもできる。
【０１４２】
なお、ＰＭＶの演算値のみを表示情報として表示させる場合には、ＰＭＶ判定部４５は不要である。この場合、ＰＭＶ演算部４４は、ＰＭＶの演算値を表示制御部６０に直接に入力するように機能する。
【０１４３】
以上で、図６のフローチャートに基づく磁気共鳴イメージング装置の使用形態の説明を終了する。
【０１４４】
この実施形態においても、図６と同様の動作をたとえば定期的に行うことにより、撮影中の任意のタイミングにおけるボア２０ａ内の温熱環境を示す表示情報を表示させることができる。
【０１４５】
［作用・効果］
この実施形態に係る磁気共鳴イメージング装置は、ボア２０ａ内の温熱環境に影響する温熱環境因子を取得し、この温熱環境因子に基づいてボア２０ａ内の温熱環境を表す温熱環境情報（ＰＭＶ）を演算するとともに、この温熱環境情報に基づく表示情報を表示するように作用するものである。
【０１４６】
したがって、検者は、表示情報を視認することにより、被検体Ｐが配置されるボア２０ａ内の温熱環境を把握することができ、検査室内のエア・コンディショナーにより温度や湿度や風速を調整するなどの様々な対策を施すことによって、ボア２０ａ内の温熱環境の改善を図ることが可能である。
【０１４７】
また、この磁気共鳴イメージング装置によれば、ＲＦコイル３からの高周波磁場の強度に基づいて被検体Ｐの活動量を演算し、この演算結果に基づくＰＭＶの値に基づいて表示情報を表示することができるので、ＲＦコイル３の種類に応じてボア２０ａ内の温熱環境の改善を図ることができるという利点もある。
【０１４８】
また、この磁気共鳴イメージング装置によれば、被検体Ｐの身長や体重を含む身体情報に基づいて被検体Ｐの活動量を演算し、この演算結果に基づくＰＭＶの値に基づいて表示情報を表示することができるので、被検体Ｐの体格などに応じてボア２０ａ内の温熱環境を改善できるという利点もある。
【０１４９】
［変形例］
図７は、この実施形態に係る磁気共鳴イメージング装置の変形例の一例を表している。同図に示す磁気共鳴イメージング装置は、図６に示した構成に加えて、操作部７０を備えている。
【０１５０】
操作部７０は、ファン１４が発生する気流の風速を変更するために検者により操作されるもので、たとえばホストコンピュータ１１のコンソール（図示せず）によって構成される。このコンソールは、たとえば、キーボード、マウス、トラックボール、ジョイスティック等の操作デバイスや入力デバイスを備えている。操作部７０は、この発明の「操作手段」の一例として機能するものである。
【０１５１】
検者は、表示部１２に表示された表示情報に基づいて操作部７０を操作することにより、ファン１４により発生される気流の風速を適宜に変更する。それにより、ボア２０ａ内の温熱環境の改善を図ることができる。
【０１５２】
なお、この変形例では、ボア２０ａ内の気流の風速を変更するようになっているが、第１の実施形態の温度変更装置や湿度変更装置によってボア２０ａ内の温度や湿度を変更することにより温熱環境の改善を図るように構成することも可能である。
【０１５３】
上記の実施形態では、ボア２０ａ内の温熱環境情報（ＰＭＶ）に基づく表示情報を表示するようになっているが、ボア内の温熱環境情報に基づく任意の報知情報を出力するように構成することも可能である。報知情報の出力態様としては、たとえば、ＰＭＶが許容範囲から外れているときにビープ音や音声メッセージ等の音声情報を出力させることができる。
【０１５４】
上記の実施形態では、ファン１４が発生している気流の風速を温熱環境因子として用いてＰＭＶを演算しているが、ファンを具備しない磁気共鳴イメージング装置においては、風速＝０としてＰＭＶを演算して表示情報を表示させることができる。
【図面の簡単な説明】
【０１５５】
【図１】この発明に係る磁気共鳴イメージング装置の好適な実施の形態の全体構成の一例を表す概略図である。
【図２】この発明に係る磁気共鳴イメージング装置の好適な実施の形態の制御系の構成の一例を表す概略ブロック図である。
【図３】この発明に係る磁気共鳴イメージング装置の好適な実施の形態の使用形態の一例を表すフローチャートである。
【図４】この発明に係る磁気共鳴イメージング装置の好適な実施の形態の変形例における制御系の構成の一例を表す概略ブロック図である。
【図５】この発明に係る磁気共鳴イメージング装置の好適な実施の形態の制御系の構成の一例を表す概略ブロック図である。
【図６】この発明に係る磁気共鳴イメージング装置の好適な実施の形態の使用形態の一例を表すフローチャートである。
【図７】この発明に係る磁気共鳴イメージング装置の好適な実施の形態の変形例における制御系の構成の一例を表す概略ブロック図である。
【符号の説明】
【０１５６】
１  静磁場磁石
２  傾斜磁場コイル
３  ＲＦコイル
１１  ホストコンピュータ
１２  表示部
１４  ファン
２０  ガントリ
２０ａ  ボア
３１  情報入力部
３２  ＲＦコイルＩＤ取得部
３３  温度取得部
３４  湿度取得部
３５  ボア内壁温度取得部
４０  演算部
４１  活動量演算部
４２  着衣量演算部
４３  風速設定部
４４  ＰＭＶ演算部
４５  ＰＭＶ判定部
４６  風速演算部
５０  ファン制御部
６０  表示制御部
７０  操作部
Ｐ  被検体
【図１】
2009082331.tif 000003
【図２】
2009082331.tif 000004
【図３】
2009082331.tif 000005
【図４】
2009082331.tif 000006
【図５】
2009082331.tif 000007
【図６】
2009082331.tif 000008
【図７】
2009082331.tif 000009